(57)【要約】      （修正有）【課題】文字を書くから打つへの変革に呼応する高度な文字キー列を確立する。【解決手段】文字キー列の定理「進化する文字キー列はキースパンの定常変位に比例する」・３原則「母音は中指薬指小指のＨＰタッチキーに、タッチ頻度の多い子音は人指タッチキーに、そして、薬指小指プルタッチキーには文字を配列しない」発見を加味しての誰でも直ぐにす早く文字が打てる高度な文字キー列の確立、文字工学の確立化・文字キー列の設定のし方等のマニアル化・省エネ等による文字キー列の打つのあり様の明確化、文字進化「文字は進化するのではなく完遂する」新定設等ふまえて打つのあり様を明確化するもので文字キー列の謎も明らかになる。【選択図】図１
2013089223.tif 000002
【特許請求の範囲】
【請求項１】
人類の文明の基盤文字を変革するであろう文字は書くから打つへに変えるＩＴ文字入力端末機器等の打つのあり様「文字は進化するのではなく完遂する」新定設・文字入力進化を加速する文字体系のタッチ頻度順化「ＡＢＣ」ならぬ「ＡＥＯ」「いろは」ならぬ「いとき」等・文字キー列の定理法則等の発見・結果としての芽ばえ的な文字工学の確立化等にもとづくタッチの高速化に根ざした、文字キー列の高度化に関する発明で、まずは、ベースとなる不変的なタッチ形態４種類、主に従動指人差し指（以下人指）中指薬指小指でタッチする両手・片手・持手の親指でタッチする両持手親指・片持手親指ハンドルタッチングの主導的な両手ハンドルタッチングの公知パソコン等に介在する問題点あるいは現状把握による発明要因等の創出。
主要な言語のキー的特性（図７参照）略字の意ＡＢ：アルファベット・ＨＰ：ホームポジション・ＢＴ：ブラインドタッチ・ＤＴ：ディアルタッチ（ローマ字入力子音＋母音２文字同時差タッチ）・左右はオペレータから見た方向。現主要文字キー列（図８参照）各言語の文字等を配列するベースとなるキー列。図７にもとづく２大文字キー列の現ＡＢキー列（図９参照）各言語の文字等を主要文字キー列に配列するＡＢ等キー列、現かなキー列（図１０参照）主にかな文字を配列等で構成する文字キー列を有するキーボード等に於いて、主要文字キー列、２列目ＨＰキー列キー数１２個相当キースパン４個〜６か１／３個両端のキーにＨＰマークキー印列中央に、１列目プッシュキー列キー数１２個相当キー目オフセット左右とも１／３斜目すじ状に、そして、３列目プルキー列キー数１２個相当オフセット１／２斜目すじ状にそれぞれキー配列した、各３列タイプの主要文字キー列。
または、その上で０列目ツーアップキー列キー数１２個相当オフセット左右とも２／３斜目すじ状にそれぞれキー配列した各４列タイプの主要文字キー列。または、０〜３列目の各列の中央部にＣｔｒｌ・シフト・Ａｌｔ・Ｗｉｎｄ等のキーを挿入し、その上でＢＳ・Ｄｅｌｔ・Ｅｎｔ等のキーを主要文字キー列の下部中央にそれぞれキー配列した、各サブキー一体化タイプの主要文字キー列（図１参照）。
【請求項２】
請求項１に於いて、各言語の複数の言語の組み合せも含め原則として、母音を中指薬指小指ＨＰタッチキーまたは中指薬指タッチキー加えて小指ＨＰタッチキーに、タッチ頻度の多い子音人指タッチキーに、そして、残りの文字を薬指小指プルタッチキー以外のキーにそれぞれ文字配列した、各タイプ等の主要文字キー列と一体の各言語毎のＡＢ等キー列（図２参照）。
【請求項３】
請求項１に於いて、かな五十音のタッチ頻度の多いトップテンい・と・き等ＨＰキー列の中部の各キーに、セカンドテンは・な・こ等プッシュ・プルキー列の人指タッチキー等に、ワーストテンめ・わ・ね等ツーアップキー列の各キーに、そして、残りのかなを残りのキーにそれぞれ配列した各４列タイプ等の主要文字キー列と一体のかなキー列。または、濁音小さい文字等を２打目に配列するために、上記かなキー列を１打目用とし「か」のキーに「が」、「や」のキーに小さい「ゃ」を連らなるようにそれぞれ配列した、各４列タイプ等の主要文字キー列と一体の二打別式かなキー列。または、長音等も含めすべてのかなを配列するために、五十音を１打目・濁音等を２打目・長音等３打目「か」「が」「ぎゃ」と連らなるようにそれぞれ配列した、各３列タイプ等の主要文字キー列と一体の３打別式かなキー列（図３参照）。
【請求項４】
請求項１〜３に於いて、かなのＡＢ的新文字のＡＢ
2013089223.tif 000006
主要文字キー列と一体のＡＢ一体化文字キー列（図３参照）。
【請求項５】
請求項１と２に於いて、残りの片手ハンドルタッチングの電卓等卓上形横４列縦６列・多機能携帯電話等手帖形横４列縦４列、両持手親指ハンドルタッチングの多機能携帯電話等横３列縦７列、片持手親指ハンドルタッチング携帯電話等横４列縦３列のコアの文字キー列としてのＡＢ等キー列。各言語等の文字を複数打別式に配列する中で、パソコンのＡＢ等キー列と相当数同じ文字配列、または、各言語のタッチ頻度順の新らしい文字体系にもとづいた１打目用のキーからの配列、または、その上で１打目の母音キーには２打目用の文字配列しない各言語等の複数打式各タッチ形態毎のＡＢ等キー列（図４・５・６参照）。
【請求項６】
請求項１・３・５に於いてのかなキー列。タッチ頻
2013089223.tif 000007
」の１打目用のキーからの配列のタッチ形態毎のかなキー列（図４・５・６参照）。
【発明の詳細な説明】
【発明の詳細な説明】
【技術分野】
【０００１】  指のしくみ等人間工学と文字のしくみに工学的な裏づけの狭義の文字工学との融合を体系化したものを文字工学とするなら新分野の文字工学としたい。
【背景技術】
【０００２】  文字キー列のタッチの高速化に関する個々の技術を評価すると、高価残したいもの３列タイプのＡＢ等キー列・４列タイプのかなキー列・プルキー列オフセット１／２・横４列の片手・片持手親指ハンドルタッチングのキー配列、高価改善したいもの左右非対称のハの字スタイルタッチ式主要文字キー列左右対称に・プッシュキー列左オフセット２／３は１／３に・キースパン４個拡がりを持たせる（固定化しない）、低価ＢＴし易い・人指タッチキー数少ない、ＨＰタッチ率低い等総じて技術水準低い文字キー列のあり様を含めた見直し等必要。
【発明が解決しようとする課題】
【０００３】  従来技術の底上ではあるが、根本的には文字は書くから打つへの変革に呼応する高度な文字キー列の確立、すなわち、打つのあり様等の明確化でもある人類の謎の
2013089223.tif 000003
【課題を解決するための手段】
【０００４】  文字キー列の現状分析等に、新要因主要な言語のキー的特性等の活用・キー的性能等の新設・タッチ頻度順の文字体系化・同音異句の世界語化用文字の開発等を加え、さらに、創造的な文字キー列の定理・法則の発見等を加味しての高度な文字キー列の確立。結果としてのタッチの高速化等による消費電力削減等の省エネ・文字キー列の設定のし方等についてのマニアル化・芽ばえ的な文字工学の確立化等による文字キー列の打つのあり様の明確化。さらには、文字進化の打つ的なあり方等を明確にして打つあり様の明確化を図り、文字キー列の謎も結果的に解明される。
【発明を実施するための形態】
【０００５】  図１は、文字キー列の定理「進化する文字キー列はキースパンの定常変位に比例する」発明発見による請求項１にもとづく各種の主要文字キー列の実施例図で、キースパンが拡がるにつれてキー的性能・機能等が向上進化する様を表わしている。ポイントは、俊敏な人指タッチ活用の人指タッチ・ＢＴし易いキー数増のキー的性能の高い人間工学的な高度なハの字スタイルタッチ式の主要文字キー列の確立、類似のハット・平行スタイルタッチ式と比較すると分り易い。
【０００６】  図２は、文字配列の３原則「母音は中指薬指小指ＨＰタッチキーに、タッチ頻度の多い子音は人指タッチキーに、そして、薬指小指プルタッチキーには文字を配列しない」発明発見による請求項２、タッチ頻度順の新文字体系等にもとづく各言語等のＡＢ等キー列の実施例図で主要言語版を図示。ポイントは、タッチ頻度の多い文字の人指タッチ・ＨＰタッチキーへの集約化高速ＤＴ率１００％が目標のキー的性能の高い文字工学的な高度なＡＢ等キー列の確立。
【０００７】  母音数６以下の文字数２６相度ＡＢ等キー列、日本語版先人が発明した打つを見末えての文字数１９の英知にむくいた本発明のＡＢキー列。Ｙを母音を見なすと母音数６子音数１３は、文字進化「文字は進化するのではなく完遂する」の第２ステップ最終到達点の目標文字数。
【０００８】  英語版、３列タイプＢ等に配列するとキー的性能は高い、文字進化的には母音数５⇒６子音数２１⇒１９を第１ステップ通過点の目標文字数にしたい、いずれにしても進行中の英語の世界語化、時の最強国の文字に合わせるのではなく、打つ的に効率的な文字を採用すべきで、まずは母音の割愛策の廃止。
【０００９】  母音数６を超える文字数２６相当を超えるグループ、トルコ語版ドイツ語版ロシア語版、それなりにキー的性能の高い配列は可能、文字進化的には母音数の削減必要。尚現トルコ版の母音左ＨＰタッチキー配列方式は、ＨＰタッチ率が高い類似のトヴォラック配列も同様に考えられる。
【００１０】  韓国語版、重複配列なくキー的性能の高いハングルキー列は可能。文字は書く時代の合理的な最強文字打つのあり様に即応する母音等の削減必要。
【００１１】  ＡＢを使用する言語の主要言語共通版ＡＢキー列、共通化しても各言語のキー的性能の維持は可能。
【００１２】  図３は請求項１・タッチ頻度順の文字体系等にもとづくキー的性能の高いかなキー列。タッチの速さは、かなＨＰ人指タッチ率６６％×１（タッチの速い係数）＋タッチの遅いキー文字（１００−６６＝３３）３３×１．４（タッチの遅い係数）＝１１２。現は４９×１＋５１×１．５（タッチやゝしにくいため）＝１２６、従って目安として１２６／１１２＝１．１倍速くなっている。
【００１３】
2013089223.tif 000004
比率７％タッチ数増２×７＋濁音比率２０％タッチ数増１×２０＝１４６。
ＡＢキー列（ローマ字入力）高速ＤＴ率１００％１００×２打×１．０（タッチの速い係数）＋長音比率７％７−あ行比率１３％１３＝１９４、従ってタッチの速さはかなキー列による入力の方が１９４／１４６＝１．３倍速い（漢字変換無用）。
【００１４】
2013089223.tif 000005
４にもとづくＡＢ一体化文字キー列で、新文字は世界語化用の文字として活用可能。実用的なローマ字入力ＡＢ等キー列も可能。
【００１５】  かなキー列をまとめると、１００余の文字を５０余のキーで大半が１打入力のかなキー列、１３０余文字５０余キー１〜３打入力のＡＢ一体化文字キー列、４００余文字８０余キー１〜５打入力ハングルキー列実用的なのはかなキー列。したがってかな的文字数は１００〜１３０が限界。
【００１６】  図４・５・６は請求項５・６にもとづく、数打別式のＡＢ・かなキー列の実施例図で、１打目のタッチ比率が高いコアの文字キー列をタッチ形態別に図示している。
【発明の効果】
【００１７】  タッチの速さ、ＡＢ等キー列英語版高速ＤＴ率６７％６７×１．０＋３３×１．４＝１１３、現は１４×１．０＋８６×１．５＝１４３、１４３／１１３＝１．３倍速い。日本語版１００×１．０＝１００現は１５×１．０＋８５×１．５＝１４２．５、１４２．５／１００＝１．４倍速く誰でも直ぐにす早く文字が打てるようになっている。かな入力（かなキー列）はローマ字入力（ＡＢキー列より１．３倍速いことが明確になった。文字進化は進化するのではなく完遂するもの、その目標文字数は母音６・子音１９第一ステップとして、究極的には母音６・子音１３等文字進化のあり様が明確になった。文字体系をタッチ頻度順に改訂した「いろは」ならぬ「いとき」・「ＡＢＣ」ならぬ「ＡＣＥ」。結果としての芽ばえ的な文字工学の確立化、そして、打つのあり様等の明確化による文字キー列の謎の解明が明らかにされた。
【図面の簡単な説明】
【図１】  主要文字キー列の実施例図である。
【図２】  ＡＢ等キー列の実施例図である。
【図３】  かなキー列の実施例図である。
【図４】  片手ハンドルタッチングのコアの文字キー列の実施例図である。
【図５】  両持手親指ハンドルタッチングのコアの文字キー列の実施例図である。
【図６】  片持手親指ハンドルタッチングのコアの文字キー列の実施例図である。
【図７】  主要な言語のキー的特性の説明図である。
【図８】  現主要文字キー列の説明図である。
【図９】  現ＡＢキー列の説明図である。
【図１０】  現かなキー列の説明図である。
【図１】
2013089223.tif 000008
【図２】
2013089223.tif 000009
【図３】
2013089223.tif 000010
【図４】
2013089223.tif 000011
【図５】
2013089223.tif 000012
【図６】
2013089223.tif 000013
【図７】
2013089223.tif 000014
【図８】
2013089223.tif 000015
【図９】
2013089223.tif 000016
【図１０】
2013089223.tif 000017